(57)【要約】【課題】床を効率良くかつ満遍無く暖めることのできる床下空調システムを提供する。【解決手段】床下空調システム１０は、並列して隣接する２つの小梁５６間に設けられる平板状の平板断熱材１１と、平板断熱材１１を小梁５６に取り付ける第１取付具１５と、小梁５６を下側から受入溝２３で受け入れる溝状断熱材１２と、溝状断熱材１２を小梁５６に取り付ける第２取付具１６と、平板断熱材１１上に設けられる放熱経路１３と、を備える。【選択図】図２
2020012617.tif 000002
【特許請求の範囲】
【請求項１】
並列して隣接する２つの小梁間に設けられる平板状の平板断熱材と、
前記平板断熱材を前記小梁に取り付ける第１取付具と、
前記小梁を下側から受入溝で受け入れる溝状断熱材と、
前記溝状断熱材を前記小梁に取り付ける第２取付具と、
前記平板断熱材上に設けられる放熱経路と、を備えることを特徴とする床下空調システム。
【請求項２】
前記放熱経路は、前記平板断熱材上で折り返して配置される状態で状態固定部により固定されていることを特徴とする請求項１に記載の床下空調システム。
【請求項３】
前記溝状断熱材と前記平板断熱材とは、部分的に重ねられていることを特徴とする請求項１または請求項２に記載の床下空調システム。
【請求項４】
前記溝状断熱材は、前記小梁を受け入れる一対の開口端部から外側に突出するフランジ部を有し、
前記平板断熱材は、両端部が前記フランジ部に載せられていることを特徴とする請求項３に記載の床下空調システム。
【請求項５】
前記第１取付具は、一端に前記平板断熱材を上下方向に挟み込んで支持する支持部が設けられ、他端に前記小梁の上に載せられる設置部が設けられていることを特徴とする請求項１から請求項４までのいずれか１項に記載の床下空調システム。
【請求項６】
前記支持部は、前記平板断熱材を上下方向で挟む一対の支持壁部分と、２つの前記支持壁部分を連結する連結壁部分と、を有し、
前記第１取付具は、前記平板断熱材を前記小梁に取り付けた状態において、前記平板断熱材と前記連結壁部分との間に間隔を空けて前記支持部で前記平板断熱材を支持していることを特徴とする請求項５に記載の床下空調システム。
【請求項７】
前記第２取付具は、下部に前記受入溝の内側面に刺さる刺込突起が設けられ、上部に前記小梁の上面に引っ掛かる引掛部が設けられていることを特徴とする請求項１から請求項６までのいずれか１項に記載の床下空調システム。
【請求項８】
前記第２取付具は、前記小梁の幅方向で対を為して設けられ、それぞれの前記引掛部が前記溝状断熱材の復元力により前記小梁の前記上面に位置されていることを特徴とする請求項７に記載の床下空調システム。
【請求項９】
前記第２取付具は、前記溝状断熱材を前記小梁に取り付けた状態において、前記小梁と前記受入溝の底面との間に間隔を空けていることを特徴とする請求項７または請求項８に記載の床下空調システム。
【発明の詳細な説明】
【技術分野】
【０００１】
本開示は、建物の床下に設けられる床下空調システムに関する。
【背景技術】
【０００２】
建物において、床下に床暖房マットを設け、輻射熱や床を構成する部材を介する伝導熱や暖められた空気の熱により、床や室内を暖める床下空調システムが考えられている。
【０００３】
このような床下空調システムでは、床暖房マットを根太の間に設けるものが考えられている（特許文献１参照）。この床下空調システムは、軽量断熱材の上に温水パイプを全体に行き渡るように設けて床暖房マットを構成しており、並列された根太の間に複数の床暖房マットを設けることで、床において各床暖房マットが並列された領域を効果的に温めることができる。
【先行技術文献】
【特許文献】
【０００４】
【特許文献１】特許３８０２６８４号公報
【発明の概要】
【発明が解決しようとする課題】
【０００５】
しかしながら、上記した床下空調システムは、各根太の間で複数の床暖房マットを並列させているので、各根太から床の熱を床下空間に逃がしてしまい、床を効率良くかつ満遍無く暖めることが困難となってしまう。
【０００６】
本開示は、上記の事情に鑑みて為されたもので、床を効率良くかつ満遍無く暖めることのできる床下空調システムを提供することを目的とする。
【課題を解決するための手段】
【０００７】
上記した目的を達成するために、本開示の床下空調システムは、並列して隣接する２つの小梁間に設けられる平板状の平板断熱材と、前記平板断熱材を前記小梁に取り付ける第１取付具と、前記小梁を下側から受入溝で受け入れる溝状断熱材と、前記溝状断熱材を前記小梁に取り付ける第２取付具と、前記平板断熱材上に設けられる放熱経路と、を備えることを特徴とする。
【０００８】
ここで、前記放熱経路は、前記平板断熱材上で折り返して配置される状態で状態固定部により固定されていてもよい。また、前記溝状断熱材と前記平板断熱材とは、部分的に重ねられていてもよい。さらに、前記溝状断熱材は、前記小梁を受け入れる一対の開口端部から外側に突出するフランジ部を有し、前記平板断熱材は、両端部が前記フランジ部に載せられていてもよい。前記第１取付具は、一端に前記平板断熱材を上下方向に挟み込んで支持する支持部が設けられ、他端に前記小梁の上に載せられる設置部が設けられていてもよい。前記支持部は、前記平板断熱材を上下方向で挟む一対の支持壁部分と、２つの前記支持壁部分を連結する連結壁部分と、を有し、前記第１取付具は、前記平板断熱材を前記小梁に取り付けた状態において、前記平板断熱材と前記連結壁部分との間に間隔を空けて前記支持部で前記平板断熱材を支持していてもよい。
【０００９】
前記第２取付具は、下部に前記受入溝の内側面に刺さる刺込突起が設けられ、上部に前記小梁の上面に引っ掛かる引掛部が設けられていてもよい。前記第２取付具は、前記小梁の幅方向で対を為して設けられ、それぞれの前記引掛部が前記溝状断熱材の復元力により前記小梁の前記上面に位置されていてもよい。前記第２取付具は、前記溝状断熱材を前記小梁に取り付けた状態において、前記小梁と前記受入溝の底面との間に間隔を空けていてもよい。
【発明の効果】
【００１０】
このように構成された本開示の床下空調システムは、床を効率良くかつ満遍無く暖めることができる。
【００１１】
ここで、前記放熱経路は、前記平板断熱材上で折り返して配置される状態で状態固定部により固定されていれば、状態固定部で固定された放熱経路を平板断熱材上に載せるだけで、放熱経路を平板断熱材上に折り返して配置することができ、床部をより効率良く満遍無く暖めることができる。また、前記溝状断熱材と前記平板断熱材とは、部分的に重ねられていれば、溝状断熱材および平板断熱材により、床部と床下空間とを熱的に区画することができ、放熱経路から発せられた熱が床下空間に逃げることを効率良く抑制できる。さらに、前記溝状断熱材は、前記小梁を受け入れる一対の開口端部から外側に突出するフランジ部を有し、前記平板断熱材は、両端部が前記フランジ部に載せられていれば、簡易な構成で溝状断熱材と平板断熱材とを部分的に重ねることができる。前記第１取付具は、一端に前記平板断熱材を上下方向に挟み込んで支持する支持部が設けられ、他端に前記小梁の上に載せられる設置部が設けられていれば、簡易な構成でかつ容易に平板断熱材を小梁に取り付けることができる。
【００１２】
前記支持部は、前記平板断熱材を上下方向で挟む一対の支持壁部分と、２つの前記支持壁部分を連結する連結壁部分と、を有し、前記第１取付具は、前記平板断熱材を前記小梁に取り付けた状態において、前記平板断熱材と前記連結壁部分との間に間隔を空けて前記支持部で前記平板断熱材を支持していれば、支持部で平板断熱材を支持した状態を維持したまま平板断熱材に対する第１取付具の突出量を変更でき、両小梁の間に平板断熱材を容易に進入させることができるとともに、平板断熱材を容易に取り付けることができる。加えて、前記第２取付具は、下部に前記受入溝の内側面に刺さる刺込突起が設けられ、上部に前記小梁の上面に引っ掛かる引掛部が設けられていれば、簡易な構成でかつ容易に溝状断熱材を小梁に取り付けることができる。前記第２取付具は、前記小梁の幅方向で対を為して設けられ、それぞれの前記引掛部が前記溝状断熱材の復元力により前記小梁の前記上面に位置されていれば、簡易な構成でかつ確実に溝状断熱材を小梁に取り付けることができる。前記第２取付具は、前記溝状断熱材を前記小梁に取り付けた状態において、前記小梁と前記受入溝の底面との間に間隔を空けていれば、小梁や溝状断熱材（その受入溝）の製造誤差を許容して、溝状断熱材を小梁に取り付けることができる。
【図面の簡単な説明】
【００１３】
【図１】本開示に係る床下空調システムを取り付けられるユニット建物の床下空間の一部の構成を示す説明図である。
【図２】図１に示す床下空間において平板断熱材および溝状断熱材を小梁に取り付けた様子を示す説明図である。
【図３】図２に示す円Ｃ内を部分的に拡大して示す説明図である。
【図４】平板断熱材および溝状断熱材を小梁に取り付けた様子を居室空間側から見た平面図である。
【図５】床下空調システムにおける平板断熱材の構成を示す説明図である。
【図６】床下空調システムにおける溝状断熱材の構成を示す説明図である。
【図７】床下空調システムにおいて放熱経路が折り返して配置される状態で状態固定部により固定された様子を示す説明図である。
【図８】床下空調システムにおける第１取付具の構成を示す説明図である。
【図９】床下空調システムにおける第２取付具の構成を示す説明図である。
【図１０】床下空間に第１取付具を取り付けた平板断熱材を２つの小梁の間に差し入れる様子を示す説明図である。
【図１１】床下空間に第１取付具を用いて平板断熱材を２つの小梁の間に取り付ける様子を示す説明図である。
【図１２】床下空間に第２取付具を取り付けた平板断熱材を小梁に嵌める様子を示す説明図である。
【図１３】床下空調システムにおける他の例の第２取付具の構成を示す説明図であり、（ａ）が一つ目の他の例を示し、（ｂ）が二つ目の他の例を示す。
【発明を実施するための形態】
【００１４】
以下に、本開示に係る床下空調システムの一例としての実施例１の床下空調システム１０について図面を参照しつつ説明する。なお、図４では、平板断熱材１１および溝状断熱材１２を小梁５６に取り付けた様子の把握を容易にするために、放熱経路１３、根太５７および床板５８を省略している。そして、図２は、図４に示すＩ−Ｉ線に沿って得られた断面に相当する。
【実施例１】
【００１５】
実施例１の床下空調システム１０について、図１から図１３を用いて説明する。床下空調システム１０は、建物の床下空間を利用して室内や床を暖めるものであり、実施例１では、建物の一例としてのユニット建物５０の床下空間５１に設ける例を示している。
【００１６】
その床下空間５１は、図１に示すように、基礎５２と、その上に設けられた建物ユニット５３と、の間に設けられている。基礎５２は、土台となる基礎底盤コンクリートと、その側縁から立ち上がる基礎側壁コンクリートと、を有する。建物ユニット５３は、基礎側壁コンクリートの上に設けられている。
【００１７】
その建物ユニット５３は、工場で予め形成された箱状とされており、その内方に床上空間５４を形成する。その床上空間５４は、複数の内壁部により複数の居室に区画されている。建物ユニット５３は、下端面となる床部５５で床上空間５４の床面を規定している。その床部５５は、矩形状に設けられた大梁の内側に複数の小梁５６が並列して架け渡され、その上側に複数の根太５７（図１では１つのみ図示）が並列して架け渡され、その各根太５７の上側に床板５８が設けられて構成されている。各小梁５６は、矩形状の大梁の内側で短辺方向に架け渡して設けられており、実施例１では金属材料から為り、断面が矩形状の長尺な棒状とされている。このため、大梁の短辺方向が各小梁５６の長尺方向となり、大梁の長辺方向が各小梁５６の幅方向となる。
【００１８】
床板５８には、給気口５９が設けられている。給気口５９は、グリルが設けられ、ゴミ等が入り込むことが抑えられている。給気口５９は、床下空間５１と床上空間５４とを接続するもので、床下空間５１内の空気（空調空気）が床上空間５４に流れ込むことを可能とする。床下空間５１では、床板５８の下側において、隣接する２つの小梁５６に挟まれるとともに各小梁５６が伸びる長尺方向に長尺な長方形状の小梁間空間６１が形成される。この小梁間空間６１は、各小梁５６が並列される幅方向に並列されて複数形成されている。この床下空間５１を利用して床下空調システム１０が設けられる。
【００１９】
床下空調システム１０は、図２に示すように、平板断熱材１１と溝状断熱材１２と放熱経路１３とが、床下空間５１に設けられて構成される。床下空調システム１０は、放熱経路１３を各小梁間空間６１に設けることで各小梁間空間６１を適宜温めるとともに、床部５５の下側を複数の平板断熱材１１および複数の溝状断熱材１２で覆うことで床下空間５１へと熱が逃げることを抑制する。
【００２０】
平板断熱材１１は、図５に示すように、平板状とされており、小梁間空間６１よりも少し小さな寸法とされている。平板断熱材１１は、断熱性を有する材料で形成されており、実施例１では発泡樹脂材で形成されている。平板断熱材１１は、放熱経路１３の設置箇所を形成するとともに、放熱経路１３からの熱が床下空間５１に逃げることを防止する。
【００２１】
溝状断熱材１２は、図６に示すように、上端が開放された長尺な筒状とされており、小梁５６を受け入れることを可能とされている。すなわち、溝状断熱材１２は、上下方向に沿う一対の側壁部２１と、その下端を繋ぐ底壁部２２と、を有し、断面Ｕ字形状の溝を形成するものとされている。この溝状断熱材１２は、断熱性を有する材料で形成されており、実施例１では発泡樹脂材で形成されている。溝状断熱材１２は、断面Ｕ字形状の溝で受入溝２３を形成しており、その受入溝２３を取り付け対象とする小梁５６の両側面および底面を覆うように小梁５６を受け入れることを可能とする大きさとしている（図２等参照）。
【００２２】
溝状断熱材１２は、両側壁部２１の上端にすなわち小梁５６を受け入れる一対の開口端部２４にフランジ部２５が設けられている。両フランジ部２５は、両側壁部２１の上端（開口端部２４）から外側（受入溝２３とは反対側）に突出して設けられている。両フランジ部２５は、各側壁部２１および底壁部２２と同様に、長尺方向に伸びるものとされている。各フランジ部２５には、長尺方向の両端部の近傍に受入凹所２６が設けられている。受入凹所２６は、平板断熱材１１を支持する第１取付具１５の後述する支持部３２の下側の支持壁部分３４を受け入れることが可能とされている。
【００２３】
溝状断熱材１２は、一対の開口端部２４の内側、すなわち側壁部２１のそれぞれの内側面２７の上端に切欠２８が設けられている。両切欠２８は、対応する側壁部２１の内側の上端が上下方向および水平方向にＬ字形状に切り欠かれて形成され、各側壁部２１と同様に長尺方向に伸びるものとされている。両切欠２８は、後述する第２取付具１６の第２基部４１における上下方向での内側面２７に接触する範囲を低減することで、後述するように溝状断熱材１２を対応する小梁５６に取り付ける際に第２取付具１６を撓み変形し易くする。
【００２４】
放熱経路１３は、図７に示すように、熱を発する長尺な線状の経路を形成する部材であり、設置対象とする小梁間空間６１の全体に行き渡るように小梁間空間６１内を這い回されて設けられる。放熱経路１３は、熱媒体が供給される配管や電熱線で形成することができる。実施例１では、放熱経路１３は、架橋ポリエチレンで形成された可撓性を有する配管とされており、ヒートポンプから供給される温水を熱媒体とする。床下空調システム１０は、ヒートポンプが空気中の熱エネルギーを吸収させた熱媒体を放熱経路１３に循環させることで、放熱経路１３が設置された箇所の周辺に向けて放熱し、その放熱経路１３が設けられた小梁間空間６１や床部５５等を暖める。
【００２５】
放熱経路１３は、後述するように隣接する２つの小梁５６の間に設けられる平板断熱材１１の上に載せられて、小梁間空間６１内を全体に行き渡るように這い回されて設けられる（図２等参照）。実施例１の放熱経路１３は、小梁間空間６１内を全体に行き渡るように這い回された状態で、状態固定部１４により固定されている。この状態固定部１４は、熱伝導性の高い熱媒体で形成されており、実施例１ではアルミニウムからなる黒いシートとされている。状態固定部１４は、上記した状態の放熱経路１３を上下から挟み込むことで、放熱経路１３が這い回された状態で位置関係を固定する。状態固定部１４は、放熱経路１３から発せられた熱を伝導させることで、表面全体から放熱させることができ、小梁間空間６１全体をムラなくかつ効率良く暖めることができる。実施例１の状態固定部１４は、上記したように放熱経路１３を固定した状態において、平板断熱材１１上を略埋める大きさおよび形状とされている（図２等参照）。放熱経路１３は、状態固定部１４で固定された状態において、両線端１３ａが状態固定部１４から突出されており、他の放熱経路（１３）との接続が可能とされている。なお、放熱経路１３は、平板断熱材１１上に載せるだけでもよく、平板断熱材１１に設けた溝に嵌め込んでもよく、テープや止具等で平板断熱材１１に固定したりしてもよく、実施例１の構成に限定されない。
【００２６】
その平板断熱材１１および溝状断熱材１２を取り付けるために、第１取付具１５および第２取付具１６が用いられる。この第１取付具１５および第２取付具１６は、後述するように平板断熱材１１や溝状断熱材１２を取り付けること可能とするもので、実施例１では板状の金属材料から形成されている。
【００２７】
第１取付具１５は、平板断熱材１１の４隅に設けられて、小梁間空間６１を形成する２つの小梁５６に平板断熱材１１を取り付ける（図２等参照）。なお、第１取付具１５は、平板断熱材１１を小梁５６に取り付けるものであれば、設ける箇所および個数は適宜設定すればよく、実施例１の構成に限定されない。各第１取付具１５は、設ける箇所に拘わらず等しい形状とされている。
【００２８】
第１取付具１５は、図８に示すように、第１基部３１の一端に支持部３２が設けられ、第１基部３１の他端に設置部３３が設けられて構成されている。第１基部３１は、上下方向に伸びる平坦な板状とされている。
【００２９】
支持部３２は、一対の支持壁部分３４と連結壁部分３５とを有する。両支持壁部分３４は、水平方向に伸びる平板状とされており、取り付け対象とする平板断熱材１１の厚さ寸法よりも僅かに小さな間隔を置いて上下方向で対向されている。連結壁部分３５は、上下方向に伸びる平板状とされており、両支持壁部分３４の端部を連結している。実施例１の連結壁部分３５は、第１基部３１が延長されて形成されている。このため、支持部３２は、両支持壁部分３４の間に平板断熱材１１を差し入れることで、平板断熱材１１を上下方向に挟み込んで支持することができる。また、支持部３２は、両支持壁部分３４の大きさ寸法を、平板断熱材１１を支持した状態を維持したままで平板断熱材１１を支持する位置を変更することを可能とするように設定している（図１０、図１１参照）。床下空調システム１０では、平板断熱材１１を第１取付具１５により小梁５６に取り付けた状態において、平板断熱材１１と第１取付具１５の連結壁部分３５との間に間隔を空けて支持部３２で平板断熱材１１を支持するように、平板断熱材１１および第１取付具１５が設定されている（図２、図３等参照）。
【００３０】
設置部３３は、設置壁部分３６を有する。設置壁部分３６は、第１基部３１の上端部から、支持部３２とは反対側へ水平方向に伸びる平板状とされて、対象とする小梁５６の上面５６ａに載せることが可能とされている。この設置部３３は、支持部３２よりも高い位置とされており、状態固定部１４で固定された放熱経路１３を支持部３２が支持する平板断熱材１１上に載せることを可能とするように支持部３２との高さの差が設定されている（図２、図３等参照）。なお、第１取付具１５は、小梁５６に平板断熱材１１を取り付けるものであればよく、実施例１の構成に限定されない。
【００３１】
第２取付具１６は、溝状断熱材１２を小梁５６に取り付ける。第２取付具１６は、溝状断熱材１２の一対の側壁部２１（受入溝２３）のそれぞれの内側面２７に対を為して設けられるとともに、小梁５６および溝状断熱材１２の長尺方向で所定の間隔を置いて設けられる（図４参照）。なお、第２取付具１６は、溝状断熱材１２を小梁５６に取り付けるものであれば、設ける箇所および個数は適宜設定すればよく、実施例１の構成に限定されない。各第２取付具１６は、設ける箇所に拘わらず等しい形状とされている。
【００３２】
第２取付具１６は、図９に示すように、第２基部４１の下部４１ａに刺込突起４２が設けられ、第２基部４１の上部４１ｂに引掛部４３が設けられて構成されている。第２基部４１は、上下方向に伸びる平坦な板状とされており、実施例１では、上部４１ｂが下部４１ａよりも狭い幅（板面に沿う水平方向の大きさ）とされて下部４１ａの中央から上方に延びるものとされている。
【００３３】
刺込突起４２は、受入溝２３の内側面２７に刺さることで、第２取付具１６を溝状断熱材１２に取り付ける。刺込突起４２は、実施例１では、第２基部４１（下部４１ａ）の下端に設けられた２つの下側刺込突起部４４と、第２基部４１の中間（下部４１ａと上部４１ｂとの中間位置）に設けられた２つの中間刺込突起部４５と、を有する。２つの下側刺込突起部４４は、第２基部４１の下部４１ａの下端においてその板面に沿う方向の両端位置で対を為して設けられ、２つの中間刺込突起部４５は、下部４１ａの上端において上部４１ｂの両脇で対を為して設けられている。両下側刺込突起部４４は、第２基部４１の下部４１ａの下端から下方に突出する箇所が外側（図９を正面視した手前側であって小梁５６に設けられた際の小梁５６とは反対側）に折り曲げられて形成されている。両中間刺込突起部４５は、第２基部４１における上部４１ｂの外側で下部４１ａの上端から上方に突出する箇所が外側に折り曲げられて形成されている。実施例１の各下側刺込突起部４４および各中間刺込突起部４５は、三角形状とされて先端が尖るものとされている。両下側刺込突起部４４は、溝状断熱材１２における取り付け対象とされた側壁部２１すなわち受入溝２３の内側面２７の下端に刺され、両中間刺込突起部４５は、同じ側壁部２１（受入溝２３）の内側面２７の中間位置に刺される（図２、図３等参照）。このとき、各第２取付具１６は、両下側刺込突起部４４および両中間刺込突起部４５が水平方向で対を為すとともに、下側刺込突起部４４と中間刺込突起部４５とが上下方向で対を為しているので、内側面２７に直交する方向を回転中心として回転すること（時計回り、反時計まりの双方）が防止されている。これにより、第２取付具１６は、下部４１ａが溝状断熱材１２の受入溝２３に取り付けられる。
【００３４】
引掛部４３は、小梁５６の上面５６ａに引っ掛かることで、第２取付具１６を小梁５６に取り付ける。引掛部４３は、第２基部４１の上部４１ｂの上端が内側（図９を正面視した奥側であって小梁５６に設けられた際の小梁５６側）の斜め下側に折り返されて形成されている。このため、引掛部４３では、折り返された先端部分４３ａが第２基部４１よりも内側へと傾斜されている。引掛部４３は、第２基部４１が小梁５６の側面５６ｂに宛がわれると、先端部分４３ａが小梁５６の上面５６ａ上に位置することとなり、その上面５６ａに引っ掛かる（図２、図３等参照）。これにより、第２取付具１６は、上部４１ｂが小梁５６に取り付けられる。
【００３５】
次に、床下空調システム１０の取り付けについて、図２から図４と、図１０から図１２と、を用いて説明する。先ず、平板断熱材１１に第１取付具１５を取り付けるとともに（図１０参照）、溝状断熱材１２に第２取付具１６を取り付ける（図１２参照）。実施例１の平板断熱材１１では、２つの側面における両端部の合計４箇所に第１取付具１５を取り付ける（図４参照）。各第１取付具１５は、両支持壁部分３４の間に平板断熱材１１を差し入れて、支持部３２が平板断熱材１１を上下方向に挟み込んで支持することで、平板断熱材１１に取り付けられる（図２、図３、図１０参照）。このとき、各第１取付具１５では、平板断熱材１１と連結壁部分３５とが接触する位置まで、平板断熱材１１を支持部３２の奥に差し入れている（図１０参照）。なお、各第１取付具１５は、後述するように取り付けられた平板断熱材１１とともに隣接する２つの小梁５６の間に位置させることを可能とするものであれば、平板断熱材１１と連結壁部分３５との間隔は適宜設定すればよく、実施例１の構成に限定されない。
【００３６】
また、実施例１の溝状断熱材１２では、溝状断熱材１２の長尺方向の両端部の近傍で一対の側壁部２１のそれぞれの内側面２７に対を為すように合計４箇所に第２取付具１６を取り付ける（図４参照）。各第２取付具１６は、側壁部２１すなわち受入溝２３の内側面２７の下端に一対の下側刺込突起部４４が刺され、かつ同じ内側面２７の中間位置に一対の中間刺込突起部４５が刺されることで、溝状断熱材１２の受入溝２３に取り付けられる（図２、図１２参照）。このとき、各第２取付具１６は、引掛部４３を含む第２基部４１の上部４１ｂが受入溝２３すなわち開口端部２４から上側に突出しており、上部４１ｂにおける下部４１ａの近傍が切欠２８に面している。
【００３７】
次に、図１０に示すように、床下空間５１において、状態固定部１４により固定された放熱経路１３を４つの第１取付具１５（図１０では２つのみ図示）が取り付けられた平板断熱材１１上に載せる。そして、その平板断熱材１１を、取り付け対象とする小梁間空間６１内へ、すなわちその小梁間空間６１を形成する２つの小梁５６の間へと進入させる。そして、図１１に示すように、支持部３２で平板断熱材１１を支持した状態を維持したまま各第１取付具１５を外側（小梁５６側）へと移動させて、設置部３３を小梁５６の上面５６ａに載せる。これにより、各第１取付具１５で平板断熱材１１を両小梁５６の間に取り付けることができ、状態固定部１４により固定された放熱経路１３を両小梁５６の間すなわち小梁間空間６１内に設けることができる。実施例１の平板断熱材１１および各第１取付具１５は、この状態において、放熱経路１３を各小梁５６の上側に設けられた複数の根太５７に接触させる（図２、図３参照）ように各寸法が設定されている。
【００３８】
次に、図１２に示すように、床下空間５１において、各小梁５６の下側から、各第２取付具１６が取り付けられた溝状断熱材１２を押し当てる。すると、溝状断熱材１２は、各第２取付具１６の引掛部４３が各小梁５６の外表面に当たることで、両側壁部２１の間隔が広げられて、対応する小梁５６を受入溝２３に受け入れていく。このとき、各引掛部４３は、第２基部４１の上端から内側に傾斜されているので、各小梁５６に引っ掛かることが防止され、円滑に両側壁部２１の間隔を広げることができる。また、溝状断熱材１２は、各開口端部２４の内側に切欠２８を設けているので、各第２取付具１６の第２基部４１（その上部４１ｂ）が切欠２８に進入するように外側に撓むことで、両側壁部２１の間隔が広がりを抑制して小梁５６を受け入れることができる。特に、実施例１の各第２取付具１６は、第２基部４１の上部４１ｂを下部４１ａよりも狭い幅としているので、より撓み変形し易くされている。これらにより、溝状断熱材１２は、小梁５６を受入溝２３に受け入れる際に割れることが防止される。
【００３９】
そして、各引掛部４３の先端部分４３ａが対応する小梁５６の上面５６ａの高さ位置まで達すると、溝状断熱材１２および各第２取付具１６の復元力により、各第２取付具１６の第２基部４１が小梁５６の側面５６ｂに宛がわれるとともに各引掛部４３の先端部分４３ａが上面５６ａ上に変位する。これにより、引掛部４３が小梁５６の上面５６ａに引っ掛かり、各第２取付具１６により各溝状断熱材１２が対応する小梁５６に取り付けられる。
【００４０】
この状態において、溝状断熱材１２では、フランジ部２５が下側から平板断熱材１１の端部１１ａに押し当てられるとともに、小梁５６と受入溝２３の底面２３ａ（底壁部２２）との間に所定の間隔が空けられている（図３参照）。すなわち、各第２取付具１６は、溝状断熱材１２および平板断熱材１１を各小梁５６に対して上記した位置関係とするように各寸法が設定されている。このとき、各フランジ部２５では、両端部の近傍に設けられた受入凹所２６（図６参照）が、平板断熱材１１を支持する第１取付具１５の支持部３２の下側の支持壁部分３４を受け入れるので、その支持壁部分３４により平板断熱材１１への押し当てが阻害されることはない。
【００４１】
そして、状態固定部１４で固定された放熱経路１３と、平板断熱材１１と、溝状断熱材１２と、各第１取付具１５と、各第２取付具１６と、を上記した関係で設けたものを１組として、それらを前後左右に適宜並べて設置することで（図４参照）、床部５５の所定の範囲の床暖房が可能となる。このとき、複数の放熱経路１３は、両線端１３ａ（図７参照）が適宜繋ぎ合わされて、ヒートポンプを通る温水（熱媒体）の経路が適宜形成される。
【００４２】
この床下空調システム１０は、各放熱経路１３に温水（熱媒体）が供給されることで、隣接する２つの小梁５６の間（小梁間空間６１）を暖めることができる。ここで、床下空調システム１０は、両小梁５６の間に放熱経路１３を設け、その下側を平板断熱材１１で覆うとともに、その２つの小梁５６の下側を溝状断熱材１２で覆っている。このため、床下空調システム１０は、床部５５において、放熱経路１３の下側を全面に亘り平板断熱材１１および溝状断熱材１２で覆っており、床下空間５１への熱の移動を抑制している。これにより、床下空調システム１０は、放熱経路１３が放出した熱が床下空間５１へと逃げることを抑制でき、床部５５において各小梁５６が位置する箇所の温度が部分的に低くなることを抑制できる。よって、床下空調システム１０は、効率良く床部５５を満遍無く暖めることができる。
【００４３】
本開示に係る床下空調システムの一実施例の床下空調システム１０は、以下の各作用効果を得ることができる。
【００４４】
床下空調システム１０は、第１取付具１５により隣接する２つの小梁５６間に平板断熱材１１を設けるとともに、第２取付具１６により両小梁５６に溝状断熱材１２を設け、その平板断熱材１１の上に放熱経路１３を設けている。このため、床下空調システム１０は、放熱経路１３が放出した熱が各小梁５６を介して床下空間５１へと逃がすことを抑制でき、床部５５において各小梁５６が位置する箇所の温度が部分的に低くなることを抑制でき、効率良く床部５５を満遍無く暖めることができる。また、床下空調システム１０は、放熱経路１３を平板断熱材１１の上に載せるだけで良いので、設置作業を容易なものにできる。
【００４５】
また、床下空調システム１０は、放熱経路１３を、平板断熱材１１上で折り返して配置される状態で状態固定部１４により固定している。このため、床下空調システム１０は、状態固定部１４で固定された放熱経路１３を平板断熱材１１上に載せるだけで、放熱経路１３を平板断熱材１１上に折り返して配置することができ、床部５５をより効率良く満遍無く暖めることができる。特に、実施例１の床下空調システム１０は、熱伝導性の高い熱媒体であるアルミニウムからなる黒いシートで状態固定部１４を形成しているので、放熱経路１３から発せられた熱を状態固定部１４が伝導させて、小梁間空間６１全体をムラなくかつ効率良く暖めることができる。また、実施例１の床下空調システム１０は、放熱経路１３を固定した状態の状態固定部１４を、平板断熱材１１上を略埋める大きさおよび形状としているので、その状態固定部１４を平板断熱材１１上に置くだけで放熱経路１３を平板断熱材１１上に適切に配置することができる。
【００４６】
さらに、床下空調システム１０は、溝状断熱材１２と平板断熱材１１とが部分的に重ねられている。このため、床下空調システム１０は、溝状断熱材１２および平板断熱材１１により、床部５５と床下空間５１とを熱的に区画することができ、放熱経路１３から発せられた熱が床下空間５１に逃げることを効率良く抑制できる。
【００４７】
床下空調システム１０は、溝状断熱材１２の一対の開口端部２４から外側に突出するフランジ部２５に、平板断熱材１１の両端部１１ａを載せている。このため、床下空調システム１０は、簡易な構成で溝状断熱材１２と平板断熱材１１とを部分的に重ねることができる。特に、実施例１の床下空調システム１０は、各第２取付具１６により溝状断熱材１２が小梁５６に取り付けられると、溝状断熱材１２のフランジ部２５が下側から平板断熱材１１に押し当てられる。これにより、床下空調システム１０は、床部５５と床下空間５１とをより適切に熱的に区画することができ、放熱経路１３から発せられた熱が床下空間５１に逃げることをより効率良く抑制できる。
【００４８】
床下空調システム１０は、支持部３２で平板断熱材１１を上下方向に挟み込んで支持しつつ、設置部３３が小梁５６の上に載せられることで、第１取付具１５が平板断熱材１１を小梁５６に取り付けている。このため、床下空調システム１０は、簡易な構成でかつ容易に平板断熱材１１を小梁５６に取り付けることができる。
【００４９】
床下空調システム１０は、第１取付具１５が平板断熱材１１を小梁５６に取り付けた状態において、第１取付具１５の支持部３２が平板断熱材１１と連結壁部分３５との間に間隔を空けて平板断熱材１１を支持している。このため、床下空調システム１０は、支持部３２で平板断熱材１１を支持した状態を維持したまま平板断熱材１１に対する第１取付具１５の突出量を変更でき、両小梁５６の間すなわち小梁間空間６１に平板断熱材１１を容易に進入させることができるとともに、平板断熱材１１を容易に取り付けることができる。
【００５０】
床下空調システム１０は、溝状断熱材１２の受入溝２３の内側面２７に刺込突起４２を刺すとともに、小梁５６の上面５６ａに引掛部４３を引っ掛けることで、第２取付具１６が溝状断熱材１２を小梁５６に取り付けている。このため、床下空調システム１０は、簡易な構成でかつ容易に溝状断熱材１２を小梁５６に取り付けることができる。
【００５１】
床下空調システム１０は、小梁５６の幅方向で対を為して設けられた第２取付具１６のそれぞれの引掛部４３が、溝状断熱材１２の復元力により小梁５６の上面５６ａに位置されてその上面５６ａに引っ掛かることで、第２取付具１６が溝状断熱材１２を小梁５６に取り付けている。このため、床下空調システム１０は、簡易な構成でかつ確実に溝状断熱材１２を小梁５６に取り付けることができる。特に、実施例１の床下空調システム１０は、溝状断熱材１２の復元力により、溝状断熱材１２の側壁部２１と小梁５６（その側面５６ｂ）とで第２取付具１６（その第２基部４１）を挟んでいるので、第２取付具１６が溝状断熱材１２や小梁５６から外れることを抑制できる。また、実施例１の床下空調システム１０は、溝状断熱材１２の小梁５６への取り付けの際、各切欠２８により各第２取付具１６を撓み変形させて、溝状断熱材１２に加えて各第２取付具１６の復元力も利用しているので、簡易な構成でかつより確実に溝状断熱材１２を小梁５６に取り付けることができる。
【００５２】
床下空調システム１０は、各第２取付具１６により溝状断熱材１２が小梁５６に取り付けられた状態で、小梁５６と溝状断熱材１２の受入溝２３の底面２３ａとの間に所定の間隔を空けている。このため、床下空調システム１０は、小梁５６や溝状断熱材１２（その受入溝２３）の製造誤差を許容して、溝状断熱材１２を小梁５６に取り付けることができる。
【００５３】
したがって、本開示に係る床下空調システムとしての実施例１の床下空調システム１０は、効率良く床を満遍無く暖めることができる。
【００５４】
以上、本開示の床下空調システムを実施例１に基づき説明してきたが、具体的な構成については実施例１に限られるものではなく、特許請求の範囲の各請求項に係る発明の要旨を逸脱しない限り、設計の変更や追加等は許容される。
【００５５】
例えば、実施例１では、第２取付具１６を図９に示す構成としていたが、溝状断熱材１２を小梁５６に取り付けるものであればよく、実施例１の構成に限定されない。この他の構成としては、例えば、図１３（ａ）に示す第２取付具１６Ａがあげられる。第２取付具１６Ａは、第２基部４１Ａにおいて下部４１ａＡと上部４１ｂＡとで等しい幅（板面に沿う水平方向の大きさ）とされている。この第２取付具１６Ａは、刺込突起４２Ａにおいて、下側刺込突起部４４Ａが、第２基部４１Ａ（下部４１ａＡ）の下端全体が外側に折り曲げられて形成され、中間刺込突起部４５が、第２基部４１Ａの中間（下部４１ａＡと上部４１ｂＡとの中間）において上部４１ｂＡのＵ字形状に切り欠かれた箇所が外側に折り曲げられて形成されている。また、第２取付具１６Ａは、引掛部４３Ａが、第２基部４１Ａ（上部４１ｂＡ）の上端全体が内側の斜め下側に折り返されて形成されている。この第２取付具１６Ａは、実施例１の第２取付具１６と同様に溝状断熱材１２を小梁５６に取り付けることができる。また、第２取付具１６Ａは、下側刺込突起部４４Ａおよび引掛部４３Ａを第２基部４１Ａの全幅に亘る大きさとしているので、溝状断熱材１２と小梁５６との取り付け強度を高めることができる。
【００５６】
また、第２取付具１６の他の構成としては、図１３（ｂ）に示す第２取付具１６Ｂがあげられる。第２取付具１６Ｂは、基本的に第２取付具１６Ａと同様の構成であり、異なる箇所のみを説明する。第２取付具１６Ｂは、第２基部４１Ｂの上部４１ｂＢ（中間刺込突起部４５の上方）が２つに分割されるとともに、引掛部４３Ｂ（先端部分４３ａを含む）も合せて２つに分割されている。この第２取付具１６Ｂは、実施例１の第２取付具１６や上記した第２取付具１６Ａと同様に溝状断熱材１２を小梁５６に取り付けることができる。なお、図１３に示す第２取付具１６Ａ、１６Ｂは、各刺込突起４２Ａ、４２Ｂを矩形状としているが、実施例１の各刺込突起４２のように三角形状として先端が尖るものとしてもよく、他の形状としてもよい。また、実施例１の各刺込突起４２は、図１３に示す各刺込突起４２Ａ、４２Ｂのように矩形状としてもよく、他の形状としてもよい。
【００５７】
また、実施例１では、図５等に示すように、断面を縦長として溝状断熱材１２を形成している。しかしながら、溝状断熱材１２は、取り付け対象とする小梁５６を受入溝２３に受け入れて小梁５６の下部に嵌るものであれば、一対の側壁部２１よりも底壁部２２の長さ寸法を大きくしてもよく、他の構成としてもよく、実施例１の構成に限定されない。
【００５８】
さらに、実施例１では、図４等に示すように、小梁５６の長尺方向に長尺な長方形状として平板断熱材１１を形成している。しかしながら、平板断熱材１１は、取り付け対象とする２つの小梁５６の間（小梁間空間６１）を下側から覆うものであれば、その形状は適宜設定すればよく、実施例１の構成に限定されない。
【符号の説明】
【００５９】
１０  床下空調システム      １１  平板断熱材      １１ａ  端部      １２  溝状断熱材      １３  放熱経路      １４  状態固定部      １５  第１取付具      １６、１６Ａ、１６Ｂ  第２取付具      ２３  受入溝      ２３ａ  底面      ２４  開口端部      ２５  フランジ部      ２７  内側面      ３２  支持部      ３３  設置部      ３４  支持壁部分      ３５  連結壁部分      ４２、４２Ａ、４２Ｂ  刺込突起      ４３、４３Ａ、４３Ｂ  引掛部      ５６  小梁      ５６ａ  上面
【図１】
2020012617.tif 000003
【図２】
2020012617.tif 000004
【図３】
2020012617.tif 000005
【図４】
2020012617.tif 000006
【図５】
2020012617.tif 000007
【図６】
2020012617.tif 000008
【図７】
2020012617.tif 000009
【図８】
2020012617.tif 000010
【図９】
2020012617.tif 000011
【図１０】
2020012617.tif 000012
【図１１】
2020012617.tif 000013
【図１２】
2020012617.tif 000014
【図１３】
2020012617.tif 000015